(57)【要約】【課題】  正確にＬＰＰ信号を検出できる方法、およびこの方法を実行可能な光ディスク装置を提供する。【解決手段】  ＤＶＤディスク１０から、ウォブル成分ｂとＬＰＰ成分ｃとを含むプッシュプル信号ａを読み取り、読み取ったプッシュプル信号ａを所定のスライス信号ｄでスライス整形したＬＰＰ信号ｅを検出するＬＰＰ信号検出方法において、スライス信号ｄの電圧値を設定する際に、スライス信号ｄの電圧値をウォブル成分ｂに接近させながら、得られたＬＰＰ信号ｅの各パルスのパルス幅を検出して、ＬＰＰ信号ｅのパルス幅のバラツキを数値化したバラツキ度を算出し、バラツキ度が予め設定された閾値よりも大きくなった場合には、このときのスライス信号ｄの電圧値に予め設定してある補正値を加算または減算した電圧値をスライス信号ｄの電圧値として設定する。【選択図】        図１
2005071517.tif 000002
【特許請求の範囲】
【請求項１】
グルーブにランドプリピット（ＬＰＰ）が形成されているＤＶＤディスクから、ウォブル成分と、ウォブル成分のピーク部分に位置するＬＰＰ成分とを含むプッシュプル信号を読み取り、
読み取ったプッシュプル信号を所定のスライス信号でスライス整形して、ＬＰＰ成分を２値化したＬＰＰ信号を検出するＬＰＰ信号検出方法において、
前記スライス信号の電圧値を設定する際に、
前記スライス信号の電圧値を前記ウォブル成分に接近させながら、得られたＬＰＰ信号の各パルスのパルス幅を検出して、該ＬＰＰ信号のパルス幅のバラツキを数値化したバラツキ度を算出し、
該バラツキ度が予め設定された閾値よりも大きくなるまで、前記スライス信号の電圧値を前記ウォブル成分に接近させ、
バラツキ度が閾値よりも大きくなったときのスライス信号の電圧値に、予め設定してある補正値を加算または減算した電圧値をスライス信号の電圧値として設定することを特徴とするＬＰＰ信号検出方法。
【請求項２】
前記スライス信号は、プッシュプル信号に含まれるウォブル成分と同一振幅で同一周期の波形を有するものであることを特徴とする請求項１記載のＬＰＰ信号検出方法。
【請求項３】
前記補正値は、ＤＶＤディスクのメーカ等の種類毎に、予め異なる値として設定されていることを特徴とする請求項１または請求項２記載のＬＰＰ信号検出方法。
【請求項４】
グルーブにランドプリピット（ＬＰＰ）が形成されているＤＶＤディスクが装着された場合には、ウォブル成分と、該ウォブル成分のピーク部分に位置するＬＰＰ成分とを含むプッシュプル信号を、装着されたＤＶＤディスクから読み出す光ピックアップと、
プッシュプル信号をスライス信号に基づいてスライス整形して、ＬＰＰ成分を２値化したＬＰＰ信号を検出するＬＰＰ信号検出手段と、
前記スライス信号を生成するスライス信号生成手段とを具備する光ディスク装置において、
前記スライス信号の電圧値を前記ウォブル成分に接近させながら、得られたＬＰＰ信号の各パルスのパルス幅を検出して、該ＬＰＰ信号のパルス幅のバラツキを数値化したバラツキ度を算出し、
該バラツキ度が予め設定された閾値よりも大きくなるまで、前記スライス信号の電圧値を前記ウォブル成分に接近させ、
バラツキ度が閾値よりも大きくなったときのスライス信号の電圧値に、予め設定してある補正値を加算または減算した電圧値をスライス信号の電圧値として設定するように、前記各構成を制御する制御手段を具備することを特徴とする光ディスク装置。
【請求項５】
前記スライス信号生成手段は、
プッシュプル信号に含まれるウォブル成分と同一振幅で同一周期の波形を有するスライス信号を生成することを特徴とする請求項４記載の光ディスク装置。
【請求項６】
前記補正値として、ＤＶＤディスクのメーカ等の種類毎に、予め異なる値が記憶された記憶手段を具備することを特徴とする請求項４または請求項５記載の光ディスク装置。
【発明の詳細な説明】
【技術分野】
【０００１】
本発明は、データを書き込み可能なＤＶＤディスクのうち、グルーブにランドプリピット（ＬＰＰ）が形成されているＤＶＤディスクから読み取ったプッシュプル信号を所定のスライス信号によりスライス整形し、ＬＰＰ成分を２値化したＬＰＰ信号を検出するＬＰＰ信号検出方法、およびこの方法を実行する光ディスク装置に関する。
【背景技術】
【０００２】
データを書き込みできる記録系ＤＶＤディスクとして、ＤＶＤ−Ｒ、ＤＶＤ−ＲＷ、ＤＶＤ＋Ｒ、ＤＶＤ+ＲＷ等がある。
ＤＶＤディスクは、記録層に相変化材料が用いられている。この記録層は保護層で挟みこまれて保護されており、また記録面側と反対側には反射層が設けられている。この記録層、保護層、反射層が透明基板であるポリカーボネートによって挟み込まれ、ＤＶＤディスクとして形成される。
【０００３】
図７にＤＶＤディスクの記録面の形状を示す。
ＤＶＤディスクの記録面にはレーザ光を案内するためのグルーブ５（溝）が形成されているが、グルーブ５とグルーブ５の間がランド７として記録面側に突出してレーザ光が照射されて相変化する部位となる。グルーブ５は所定の周期で蛇行（ウォブル）して形成されており、光ディスク装置側にこの周期を時間情報として提供できる。光ディスク装置ではグルーブ５のウォブルに基づいて得られたウォブル信号を検出してディスク回転制御時の時間情報等に用いている。
【０００４】
特にＤＶＤ−Ｒ、ＤＶＤ−ＲＷ等のディスクについては、ランド７と隣合うランド７の間には、所定間隔おきに孤立ピットとしてランドプリピット９（Land  Pre-pit：ＬＰＰ）が形成されている。ランドプリピット９（ＬＰＰ）に基づいて得られる所定周期を有するＬＰＰ信号は、データ書き込み時における位置制御等を行なう際の時間情報として光ディスク装置内で利用される。
【０００５】
一方、ＤＶＤディスクをドライブする光ディスク装置では、装着されたＤＶＤディスクに光ピックアップからレーザ光を照射し、光ピックアップ内でディスクからの反射光を受光している。光ピックアップ内での受光素子は複数個に分割された受光面を形成しており、各受光面で受光した反射光強度の差を検出することでプッシュプル信号が生成される。
このプッシュプル信号は、図８に示したような波形となる。
つまり、プッシュプル信号ａは、グルーブの蛇行（ウォブル）に沿った振幅と波長を有するウォブル成分ｂと、ランドプリピット（ＬＰＰ）の位置に該当するように所定間隔おきに形成されるパルス状のＬＰＰ成分ｃとが重ね合された波形となる。
具体的には、正弦波に近い形状のウォブル成分ｂのピーク部分（最大振幅値または最小振幅値）において、更に突出するパルス状の波形がＬＰＰ成分ｃである。
【０００６】
ＬＰＰ成分ｃをプッシュプル信号ａから抽出するには、レベル検知により行なわれるのが一般的である。
すなわち、ウォブル成分の最大振幅値部分にＬＰＰ成分が存する場合においては、ある一定以上の電圧（スライス信号）より大きい値を有している部分のみがＬＰＰ成分であるとし、スライス信号と比較してスライス信号よりも大きい電圧値を有する部位のみをＬＰＰ成分として抽出し、これを２値化したＬＰＰ信号を検出するのである（例えば特許文献１参照）。
【０００７】
【特許文献１】特開２００３−１２３２６０号公報（図３等）
【発明の開示】
【発明が解決しようとする課題】
【０００８】
上述したように、スライス信号を用いてＬＰＰ成分をプッシュプル信号から抽出する場合、スライス信号をどのレベルに設定しておくかが問題となってくる。
つまり、図９のＡに示すように、ウォブル成分ｂ自身にノイズが乗っている場合には、スライス信号のレベルをウォブル成分の最大振幅値に近づけすぎるとノイズまで拾ってしまうので正確なＬＰＰ成分を得ることができない。
一方、図９のＢに示すように、スライス信号のレベルを上げすぎると、当該レベル位置ではＬＰＰ成分のピーク値を越えてしまうか、またはＬＰＰ成分のパルス幅が極めて狭くなってしまうことが考えられる。かかる場合には、拾うことができないＬＰＰ成分が存在し、ＬＰＰ成分の漏れが生じてしまい、これも正確なＬＰＰ成分を得ることができない。
このため、スライス信号のレベルは、なるべくウォブル成分のピーク値付近であって、且つウォブル成分のノイズを拾わない位置に設定する必要性があるという課題があった。
【０００９】
なお、ここでの課題は、図8，9に基づいて説明しているので、スライス信号の電圧値はウォブル成分の最大振幅値付近が好ましいとしているが、ＬＰＰ成分がウォブル成分の最小振幅値部分に存する形態も考えられる（図示せず）。したがって、スライス信号のレベルは、ウォブル成分の最大振幅値付近および最小振幅値付近を含めたピーク値付近が好ましい。
【００１０】
そこで、本発明は、正確にＬＰＰ信号を検出できる方法、およびこの方法を実行可能な光ディスク装置を提供することを目的とする。
【課題を解決するための手段】
【００１１】
本発明にかかるＬＰＰ信号検出方法によれば、グルーブにランドプリピット（ＬＰＰ）が形成されているＤＶＤディスクから、ウォブル成分と、ウォブル成分のピーク部分に位置するＬＰＰ成分とを含むプッシュプル信号を読み取り、読み取ったプッシュプル信号を所定のスライス信号でスライス整形して、ＬＰＰ成分を２値化したＬＰＰ信号を検出するＬＰＰ信号検出方法において、前記スライス信号の電圧値を設定する際に、前記スライス信号の電圧値を前記ウォブル成分に接近させながら、得られたＬＰＰ信号の各パルスのパルス幅を検出して、該ＬＰＰ信号のパルス幅のバラツキを数値化したバラツキ度を算出し、該バラツキ度が予め設定された閾値よりも大きくなるまで、前記スライス信号の電圧値を前記ウォブル成分に接近させ、バラツキ度が閾値よりも大きくなったときのスライス信号の電圧値に、予め設定してある補正値を加算または減算した電圧値をスライス信号の電圧値として設定することを特徴としている。
この方法によると、スライス信号の電圧値を徐々にウォブル成分に近づけて行きながら、スライスされて検出された複数のＬＰＰ信号をチェックし、このＬＰＰ信号のパルス幅が急激にバラツキを生じるようになった場合には、スライス信号がウォブル成分に重なったか、またはウォブル成分に乗ったノイズに重なったと判断することができる。そこで、スライス信号の電圧値を、ウォブル成分に重なったかまたはノイズに重なった位置よりもウォブル成分から離れる方向に若干移動させることにより、スライス信号の設定を、なるべくウォブル成分のピーク値に近づけ、しかもウォブル成分に接触したりノイズを拾わないようにし、正確なＬＰＰ信号の検出が可能となる。
【００１２】
前記スライス信号は、ウォブル成分と同一振幅で同一周期の波形を有するものであってもよい。
【００１３】
さらに、前記補正値は、ＤＶＤディスクのメーカ等の種類毎に、予め異なる値として設定されているとよい。
このように補正値を予めＤＶＤディスクの種類毎に設定しておくことによって、各ディスク毎にバラツキがあるウォブル成分の振幅の大きさや、ノイズの乗りやすさ等を考慮して確実にＬＰＰ信号を検出可能なスライス信号のレベルを設定することができる。
【００１４】
本発明にかかる光ディスク装置によれば、プッシュプル信号をスライス信号に基づいてスライス整形して、ＬＰＰ成分を２値化したＬＰＰ信号を検出するＬＰＰ信号検出手段と、前記スライス信号を生成するスライス信号生成手段とを具備する光ディスク装置において、
前記スライス信号の電圧値を前記ウォブル成分に接近させながら、得られたＬＰＰ信号の各パルスのパルス幅を検出して、該ＬＰＰ信号のパルス幅のバラツキを数値化したバラツキ度を算出し、該バラツキ度が予め設定された閾値よりも大きくなるまで、前記スライス信号の電圧値を前記ウォブル成分に接近させ、バラツキ度が閾値よりも大きくなったときのスライス信号の電圧値に、予め設定してある補正値を加算または減算した電圧値をスライス信号の電圧値として設定するように、前記各構成を制御する制御手段を具備することを特徴としている。
この構成を採用することによって、装着されたＤＶＤディスクからＬＰＰ信号を検出する場合において、スライス信号を徐々にウォブル成分に近づけて行きながら、スライスされて検出されたＬＰＰ信号をチェックし、このＬＰＰ信号が急激にバラツキを生じるようになった場合には、スライス信号のレベルがウォブル成分に重なったか、またはウォブル成分に乗ったノイズに重なったと判断することができる。そこで、スライス信号のレベルを、ウォブル成分に重なったかまたはノイズに重なった位置よりもウォブル成分から離れる方向に若干移動させることにより、スライス信号の設定を、なるべくウォブル成分のピーク値に近づけ、しかもウォブル信号に接触したりノイズを拾わないようにし、正確なＬＰＰ信号の検出が可能となる。
【００１５】
また、前記スライス信号生成手段は、ウォブル成分と同一振幅で同一周期の波形を有するスライス信号を生成することを特徴としてもよい。
【００１６】
さらに、前記補正値として、ＤＶＤディスクのメーカ等の種類毎に、予め異なる値が記憶された記憶手段を具備してもよい。
このように補正値を予めＤＶＤディスクの種類毎に設定しておくことによって、各ディスク毎にバラツキがあるウォブル成分の振幅の大きさや、ノイズの乗りやすさ等を考慮して確実にＬＰＰ信号を検出可能なスライス信号のレベルを設定することができる。
【発明の効果】
【００１７】
本発明のＬＰＰ信号検出方法および光ディスク装置によれば、プッシュプル信号をスライス整形するためのスライス信号の設定を、ウォブル成分になるべく接近させ、しかもウォブル成分やウォブル成分に乗っているノイズには重なることがないようにできるので、漏れがなく確実にＬＰＰ信号の検出ができ、またノイズ等を誤ってＬＰＰ信号として認識してしまうこともないので正確にＬＰＰ信号を検出できる。
【発明を実施するための最良の形態】
【００１８】
プッシュプル信号をスライス整形して、ＬＰＰ信号を検出する際に用いるスライス信号のレベルの設定をウォブル成分から離れた位置から徐々にウォブル成分のピーク値に接近させていき、検出されたＬＰＰ信号を検討することでスライス信号のレベルがウォブル成分に接近しすぎか否かを判定することができることから、正確なＬＰＰ信号を検出可能な方法および構成を実現することができた。
【実施例１】
【００１９】
以下、ランドプリピット（ＬＰＰ）が形成されているＤＶＤディスクからＬＰＰ信号を検出する事ができる光ディスク装置について説明する。ＤＶＤディスクの構造については従来の技術で説明したとおりであるのでここでは詳述しない。
【００２０】
図１に、本発明のＬＰＰ信号検出方法を実行する光ディスク装置について示し、光ディスク装置の構成と動作について説明する。
本装置はＤＶＤとＣＤの両者をドライブ可能な装置であるので、ＤＶＤディスク装置とせずに、光ディスク装置とした。すなわち、光ディスク装置３０は、ＣＤおよびＤＶＤの光ディスクを装着してデータ再生、データの書き込みを行うことができる。
光ディスク１０は、スピンドルモータ１２によって回転駆動され、光ディスク１０の径方向に移動する光ピックアップ１４によってデータ再生、およびデータの書き込みを行う。
【００２１】
光ピックアップ１４は、レーザ光を照射するレーザダイオード（図示せず）、光ディスク１０の記録層に焦点を合わせるための対物レンズ（図示せず）、光ディスク１０から反射してくる反射光を受光する受光素子であるフォトダイオード１５等を具備している。
フォトダイオード１５は、複数個に分割された受光面を有しており、それぞれの受光面に受けた反射光強度の差分をとることで、反射光からプッシュプル信号ａを読み出すことができる。フォトダイオード１５は、プッシュプル信号ａの他に、それぞれの受光面における反射光強度に基づいてトラッキングエラー信号やフォーカスエラー信号等の各信号を読み出すことができる。トラッキングエラー信号やフォーカスエラー信号は、サーボ制御部１７に入力され、トラッキングサーボ、フォーカスサーボ、スピンドルサーボ等のサーボ制御に使用される。
【００２２】
光ピックアップ１４には、ＬＰＰ信号検出回路１８が接続されている。ＬＰＰ信号検出回路１８としてはコンパレータ等が用いられる。
すなわち、ＬＰＰ信号検出回路１８には、光ピックアップ１４で読み出されたプッシュプル信号ａと、スライス信号ｄとが入力され、スライス信号ｄの電圧値（レベル）を基準としてプッシュプル信号ａをスライス整形し、プッシュプル信号ａに含まれているＬＰＰ成分ｃのみを抽出する。抽出されたＬＰＰ成分ｃは2値化され、デジタル信号として出力される。
【００２３】
ＬＰＰ信号検出回路１８には、スライス信号生成回路２０が接続されている。本実施例におけるスライス信号生成回路２０は、後述するような方法によりスライス信号の電圧値（レベル）を設定する。なお、本実施例のスライス信号ｄは、プッシュプル信号ａをスルーレート処理して得た信号であって、ウォブル成分ｂと同一振幅で同一波長の信号である。スルーレート機能は、スライス信号生成回路２０が有している機能である。
【００２４】
ＬＰＰ信号検出回路１８によって検出されたＬＰＰ信号ｅは、データの書き込み制御等を行うドライブ制御部２４に入力される。ドライブ制御部２４では、入力されたＬＰＰ信号ｅを時間情報として書き込み制御等を実行することができる。
【００２５】
符号２６はＬＰＰ信号ｅを検出する動作制御を実行する制御部である。制御部２６には、ＬＰＰ信号ｅが入力される。
制御部２６では、ＬＰＰ信号ｅ中の複数のパルスのそれぞれのパルス幅のバラツキ度を演算する演算機能を有している。ここでいうバラツキ度の例としては、標準偏差あるいは分散等がある。分散とは各データと平均の差の 2 乗の平均値であり、標準偏差とは分散の平方根である。
【００２６】
制御部２６は、ＬＰＰ信号ｅのパルス幅のバラツキ度に基づいてスライス信号生成回路２０を制御し、スライス信号ｄの電圧値を設定することができる。
つまり、制御部２６は、ＬＰＰ信号ｅのパルス幅のバラツキ度を参照しつつ、スライス信号ｄの電圧値をウォブル成分ｂのピーク値に接近させるようにスライス信号生成回路２０を制御する。そして、制御部２６は、ＬＰＰ信号ｅが急激にバラツキを生じるようになった場合（閾値を越えた場合）には、スライス信号ｄのレベルがウォブル成分ｂに重なったか、またはウォブル成分ｂに乗ったノイズに重なったと判断する。そして、制御部２６は、スライス信号ｄの電圧値を、ウォブル成分に重なったかまたはノイズに重なった位置よりもウォブル成分から所定の電圧値（補正値）分だけ離れる方向に若干移動させるようにスライス信号生成回路を制御し、スライス信号の電圧値の設定を行なう。
【００２７】
なお、ウォブル信号に重なったかまたはノイズに重なった位置における電圧値に、加算または減算させる値である補正値は、制御部２６に接続されたＲＯＭ等から成る記憶手段２８に予め記憶しておく。
補正値は、ＤＶＤディスクの種類毎に、どの程度ウォブル成分から離間させる方向に電圧値を加算または減算させればよいかを予め実験的に算出しておくとよい。
【００２８】
続いて、上述したような光ディスク装置において実行可能なＬＰＰ信号の検出方法について、図２〜図６に基づいて説明する。図２〜図５はプッシュプル信号とスライス信号の波形を示しているものであり、図６はスライス信号の電圧値の設定方法の概略を示している。
図２に示す信号ａがプッシュプル信号である。プッシュプル信号ａは、上述したように光ピックアップ１４が受光した反射光に基づいて生成される信号であり、具体的にはＤＶＤディスク１０から反射してきた反射光を複数個に分割された受光面を有する受光素子であるフォトディテクタ１５が受光し、各受光面で受光した反射光強度の差を検出することで生成される。
【００２９】
このプッシュプル信号ａは、グルーブが蛇行（ウォブル）していることおよびグルーブにランドプリピット（ＬＰＰ）が形成されていることにより、ウォブル成分ｂとＬＰＰ成分ｃが含まれた信号となっている。
すなわち、プッシュプル信号ａは、ほぼ一定の振幅ｈ、およびほぼ一定の波長λを有する正弦波に近いウォブル成分ｂのピーク部分にパルス状のＬＰＰ成分ｃが含まれたような波形を成している。
【００３０】
プッシュプル信号ａからＬＰＰ成分ｃを抽出するには、プッシュプル信号ａと比較して所定のレベル以上の信号を抽出するスライス整形処理によって行なう。スライス整形は、スライス信号生成回路２０によって生成されたスライス信号ｄを基準として行なわれる。
図３に示すように、本実施例におけるスライス信号ｄは、ウォブル成分ｂと同一振幅、同一波長で且つ位相をそろえた波形である。このようなウォブル成分ｂと同一の波形のスライス信号ｄは、プッシュプル信号ａをスルーレート処理して生成することができる。
【００３１】
スライス信号ｄの電圧値の設定は、イニシャライズ時に行なわれる。
つまり、光ディスク装置３０に光ディスク１０が装着されると、まず光ディスクの種類を認識するイニシャライズが実行される。このとき、光ディスク１０がＤＶＤディスクであって、ＬＰＰを有する物で有る場合には、制御部２６は、メーカ等の種類を識別しておき、制御部２６内のメモリ領域等に記憶しておく。
【００３２】
次に、制御部２６は、スライス信号ｄの電圧値（ここではスライス信号ｄ自身の最大振幅時のピーク値）を初期値Ｖ0に設定する。初期値Ｖ0は、ウォブル成分ｂに重ならない程度の位置に予め設定されている値であり、予め制御部２６内のメモリ領域に記憶されている。
そして、制御部２６は、スライス信号ｄのレベルを初期値Ｖ0からウォブル成分ｂに徐々に近づけていく（図６の破線矢印（１）参照）ように制御する。
【００３３】
制御部２６では、スライス信号ｄのレベルを初期値Ｖ0からウォブル成分ｂに徐々に近づけていく間、ＬＰＰ信号ｅのパルス幅の標準偏差等のバラツキ度を参照する。
ウォブル成分ｂから多少離れた位置にスライス信号ｄがある場合、複数のパルス幅は、ほぼ一定であり、バラツキ度は０に近い極めて小さい値となる。
【００３４】
図４に示すように、スライス信号ｄの電圧値を徐々にウォブル成分ｂに近づけていくと、バラツキ度の数値が急激に大きな値となる位置がある。この位置が、スライス信号ｄがウォブル成分ｂまたはウォブル成分ｂに乗っているノイズに接触した位置である。このときのスライス信号ｄの電圧値を接触値Ｖmとする。
なお、このバラツキ度の数値がどの程度大きくなったら接触値であると判断するかは、予め設定しておいた閾値と比較して判断するとよい。閾値は、制御部２6内のメモリ領域等に記憶しておくとよい。
【００３５】
スライス信号ｄの電圧値は、この接触値Ｖmよりも上方に設定する必要がある。
そこで、制御部２６は、装着されているＤＶＤディスクの種類に適合する補正値Ｖcを記憶手段２８から取り出す。
そして、図５に示すように、スライス信号ｄがウォブル成分ｂまたはウォブル成分ｂに乗っているノイズに接触したときの接触値Ｖmに、補正値Ｖcを加算し、最終的に設定すべき設定値Ｖiを設定する（図６の点線矢印（２）参照）。
【００３６】
なお、記憶手段２８には記憶されていない種類のＤＶＤディスクが装着された場合には、補正値としては標準的な値を有するデフォルト値として予め設定しておいた補正値（図示せず）を適用させるようにするとよい。
【００３７】
このようにして、スライス信号ｄがウォブル成分に接触したときの電圧値である接触値Ｖmに補正値Ｖcを加算した電圧値を、スライス信号の設定値Ｖiとして設定することにより、スライス信号ｄをウォブル成分ｂぎりぎりまで接近させ、且つウォブル成分ｂやノイズに接触することもないので、ＬＰＰ信号の検出を正確なものとすることができるのである。
【００３８】
なお、上述した例では、ＬＰＰ成分ｃはウォブル成分ｂの最大振幅値から上方に向けて突出する波形であった。
しかし、ＬＰＰ成分ｃがウォブル成分ｂの最小振幅値から下方に向けて突出する波形であれば、補正値Ｖcは接触値Ｖmに加算するのではなく、接触値Ｖmから減算して設定値Ｖiを設定するようにすることが必要となる（図示せず）。
【００３９】
また、上述した実施例では、ＤＶＤディスクの種類毎に異なる補正値を加算または減算する場合についてのみ説明したが、本発明はこのような方法に限定されることはなく、装着されたＤＶＤディスクの種類にかかわらず常に一定の補正値を加算または減算するようにしてもよい。
【００４０】
また、上述した実施例では、スライス信号はウォブル成分と同一の振幅で同一の波長を有する波形であったが、スライス信号の波形としてはこのようなものに限定されることはなく、一定電圧値を有する直線状の信号であってもよい。
【図面の簡単な説明】
【００４１】
【図１】本発明にかかる光ディスク装置を示すブロック図である。
【図２】プッシュプル信号を示す説明図である。
【図３】プッシュプル信号対してスライス信号を初期値に設定したところを示す説明図である。
【図４】スライス信号がウォブル成分に接触したところを示す説明図である。
【図５】スライス信号をウォブル成分から離間させて設定値に設定したところを示す説明図である。
【図６】スライス信号の設定とＬＰＰ信号のパルス幅のバラツキ度との関係を示す説明図である。
【図７】ＤＶＤディスクの記録面の構造を説明する説明図である。
【図８】プッシュプル信号の波形形状を示す説明図である。
【図９】従来のスライス信号の設定について説明する説明図である。
【符号の説明】
【００４２】
１０   光ディスク
１２   スピンドルモータ
１４   光ピックアップ
１５   フォトダイオード
１７   サーボ制御部
１８   ＬＰＰ信号検出回路
２０   スライス信号生成回路
２４   ドライブ制御部
２６   制御部
２８   記憶手段
３０   光ディスク装置
Ｖ0    初期値
Ｖc    補正値
Ｖi    設定値
Ｖm    接触値
ａ     プッシュプル信号
ｂ     ウォブル成分
ｃ     ＬＰＰ成分
ｄ     スライス信号
ｅ     ＬＰＰ信号
【図１】
2005071517.tif 000003
【図２】
2005071517.tif 000004
【図３】
2005071517.tif 000005
【図４】
2005071517.tif 000006
【図５】
2005071517.tif 000007
【図６】
2005071517.tif 000008
【図７】
2005071517.tif 000009
【図８】
2005071517.tif 000010
【図９】
2005071517.tif 000011